(57)【要約】【課題】防水テープ等の副部材を使用せずとも縫合によって十分な密閉性を達成できる本縫いミシンの提供を図る。【解決手段】Ｎ本針Ｎ＋１本糸の本縫いミシンであって、Ｎ本の針が縫い目方向にそって配列されている。この場合、縫い目が詰まった縫合ができるので、縫い目の隙間から液漏するようなことを防止できる。これにより、防水テープ等の副部材を使用せずとも、また、複数回のミシン掛けも必要とせずに、一回のミシン掛けによって十分な密閉性を達成できる。【選択図】　　図１
2004033548.tif 000002
【特許請求の範囲】
【請求項１】
２以上のＮ本の針が縫い目方向にそって配列されたＮ本針Ｎ＋１本糸の本縫いミシン。
【請求項２】
請求項１記載の本縫いミシンにおいて、
隣合う針の間隔は、送り出しピッチの１／Ｎに設定されていることを特徴とする本縫いミシン。
【発明の詳細な説明】
【０００１】
【発明の属する技術分野】
本発明は、本縫いミシンに関する。
【０００２】
【従来の技術】
本縫いミシンは、縫い目の構成が各縫い目ごとに独立しているため、ほどけにくく、返し縫いなどが容易であることから一般に広く使用されている。
【０００３】
図１３〜図１４は従来の本縫いミシンを用いた縫製品を説明するための図である。図１３は、従来の表皮一体発泡体としてのヘッドレスト１００を示すものであり、その表皮１０１が本縫いミシンによって縫合されている。ヘッドレスト１００は、複数の表皮構成片１０１ａ，１０１ｂ，１０１ｃ，１０１ｄ・・を本縫いにより縫合して袋状の表皮１０１を形成し、この表皮１０１内に開口部１０４から発泡体１０２の原液を注入して発泡させて製造したものである。なお、符号１０３はフレームを示す。
【０００４】
つまり、このような用途で使用される本縫いミシンにあっては、縫合によって十分な密閉性が要求される。
【０００５】
【発明が解決しようとする課題】
しかしながら、前記従来の本縫いミシンでは、縫い目Ｂと縫い目Ｂと間隔は生地の送り出しピッチによって決まり、送り出しピッチを短く設定して表皮構成片１０１ａ、１０１ｂ間に隙間が生じるおそれがある（図１４参照）。そのため、発泡体１０２の原液が液漏れしてしないように、縫合部位Ａ、Ａ、Ａ、・・に防水テープ１０６を貼設する必要があり、作業工数が多くなり、経済性に欠ける。
【０００６】
本発明は、このような従来技術をもとに為されたもので、防水テープ等の副部材を使用せずとも縫合によって十分な密閉性を達成できる本縫いミシンの提供が目的である。
【０００７】
【課題を解決するための手段】
請求項１記載の発明にあっては、Ｎ本針Ｎ＋１本糸の本縫いミシンであって、Ｎ本の針が縫い目方向にそって配列されていることを特徴とするものである。
【０００８】
この場合、生地の送り出しピッチより縫い目ピッチを狭くして縫合ができる。これにより、防水テープ等の副部材を使用せずとも縫合によって十分な密閉性を達成できる。
【０００９】
請求項２記載の発明にあっては、請求項１記載の本縫いミシンにおいて、隣合う針の間隔が送り出しピッチの１／Ｎに設定されていることを特徴とするものである。
【００１０】
この場合、一つの送り出しピッチ中に送り出し方向にそってＮ個の縫い目が等間隔に形成される。そのため、無駄なく且つむらなく縫い目を形成でき、より確実に縫合部位からの液漏を防止できる。
【００１１】
【発明の実施の形態】
以下、本発明にかかる本縫いミシンの好適な実施形態について図面を参照しつつ説明する。図１は本実施形態の２本針３本糸本縫いミシンの要部斜視図、図２は同２本針３本糸本縫いミシンの２本針近傍の正面図、図３は同２本針３本糸本縫いミシンの２本針近傍の側面図、図４〜図１１は同２本針３本糸本縫いミシンによる縫製工程の説明図、図１２は同２本針３本糸本縫いミシンによる縫合部位を示す図であって分図ａは側面図であり分図ｂは上面図であり分図ｃは下面図である。
【００１２】
この実施形態の本縫いミシン２０は、被縫合部材１１ａ、１１ｂを縫合した際に縫合部位で十分な密閉性を発揮させるためのものである。この本縫いミシン２０は、２本針３本糸本縫いミシンであって、２本の針２２、２３が、送り歯３０による生地の送り出し方向（縫い目方向）に沿って配列されている。この実施形態では、図示せぬプーリーの回転に連動して上下動する針棒２１に２本の針２２、２３が保持されている。
【００１３】
この二本の針２２、２３の間隔ｄ２は、生地の送り方向（縫い目方向）に沿って生地の送り出しピッチｄ１の１／２に設定されている。これにより、縫い目Ｄと縫い目Ｄの間隔（縫い目ピッチｄ２）が１／２に狭まるため（図１５ａ参照）、縫合部位Ｃの密閉性が高まるようになっている。
【００１４】
ここで、各針２２、２３に挿通される上糸２４、２５のいずれも目飛びがないような工夫も為されている。つまり、下糸２６を巻いた図示せぬボビンを収容するボビンケース２８のカマ剣先２９で、二本の針２２、２３にガイドされる上糸２４、２５を確実に絡めとれるように、カマ剣先２９の回転軌跡に沿うように二本の針２２、２３の位置が設定されている。この実施形態では、ボビンケース２８が垂直軸を中心に回転するように配置されているため、該二本の針２２、２３は縫い目方向に沿ってほぼ一直線上に配置されるが真に一直線上ではなく図５に示すように若干ズレた位置に配置されている。また、二本の針２２、２３は上下方向に段違いに配置されている。なお、図中符号３１は押さえ棒、符号３２は押さえ金、符号３３は針板である。
【００１５】
この二本針三本糸本縫いミシン２０による縫い目Ｄは、図４〜図１１に示すように形成される。
【００１６】
まず、図５に示すように各針２２、２３によって、上糸２４、２５が被縫合部材１１ａ、１１ｂに貫通されて、ボビンケース２８のカマ剣先２９ですくえるところまで運ばれる。
【００１７】
針２２、２３が上昇しはじめると図６に示すように上糸２４、２５がたるみ、このループ状となった２本の上糸２４、２５が図７に示すように回転するボビンケース２８のカマ剣先２９ですくいとられる。
【００１８】
２本の上糸２４、２５は、図７→図８→図９に示すようにカマ剣先２９によって下糸２６の入ったボビンケース２８の外周を回り、下糸２６と絡みあう。
【００１９】
図９に示すように下糸２６と絡み合った二本の上糸２４、２５は、図１０に示すように図せぬ天秤によって引き上げられて結び目が形成される。最後に図１１に示すように被縫合部材１１ａ、１１ｂが送られ、図１２に示すような連続した縫い目Ｄが形成されていく。
【００２０】
このように形成された縫い目Ｄのピッチｄ２は、図１２に示すように送り出しピッチｄ１の１／２に詰まり、縫い目Ｄ、Ｄ、・・・の間の密閉度が高まる。実際に、図１３に示すヘッドレスト１００の縫合部位Ａをこの実施形態のミシン２０で縫合したととろ、縫合部位Ａに防水テープなどを貼ることなく、縫合部位Ａからの発泡体１０２の原液の漏れを防止できた。
【００２１】
なお、上述の実施形態では、二本の針２２、２３の間隔ｄ２は生地の送り出し方向（縫い目方向）に沿って生地の送り出しピッチｄ１を等分するように設定されているが、二本の針２２、２３の間隔が少なくとも送りピッチｄ１より短い間隔で配置されていれば、縫い目ピッチが詰まる作用効果が得られるので、本発明にあってはこのような構成も含むものとする。
【００２２】
また、上述の実施形態では、縫合部位Ｃは２本針３本糸の本縫い構造であるが、本発明にあってはこれに限られず、Ｎ本の針が縫い目方向にそって配列されたＮ本針Ｎ＋１本糸本縫い構造（Ｎ≧２）も含まれる。
【００２３】
【発明の効果】
請求項１記載の発明によれば、Ｎ本の針が縫い目方向にそって配列されていることを特徴とするため、生地の送り出しピッチより縫い目ピッチを狭くして縫合ができる。これにより、防水テープ等の副部材を使用せずとも縫合によって十分な密閉性を達成できる。
【００２４】
請求項２記載の発明によれば、請求項１記載の発明の効果に加え、隣合う針の間隔が送り出しピッチの１／Ｎに設定されていることを特徴とするため、一つの送り出しピッチ中に送り出し方向にそってＮ個の縫い目が等間隔に形成される。そのため、無駄なく且つむらなく縫い目を形成でき、より確実に縫合部位からの液漏を防止できる。
【図面の簡単な説明】
【図１】図１は本発明の好適な実施形態にかかる２本針３本糸ミシンの要部斜視図。
【図２】図２は同２本針３本糸本縫いミシンの針棒近傍の正面図。
【図３】図３は同２本針３本糸本縫いミシンの針棒近傍の側面図。
【図４】図４は同２本針３本糸本縫いミシンによる縫合工程の説明図。
【図５】図５は同２本針３本糸本縫いミシンによる縫合工程の説明図。
【図６】図６は同２本針３本糸本縫いミシンによる縫合工程の説明図。
【図７】図７は同２本針３本糸本縫いミシンによる縫合工程の説明図。
【図８】図８は同２本針３本糸本縫いミシンによる縫合工程の説明図。
【図９】図９は同２本針３本糸本縫いミシンによる縫合工程の説明図。
【図１０】図１０は同２本針３本糸本縫いミシンによる縫合工程の説明図。
【図１１】図１１は同２本針３本糸本縫いミシンによる縫合工程の説明図。
【図１２】図１２は同２本針３本糸本縫いミシンにより形成される縫い目を示す図であって、分図ａは側面図、分図ｂは上面図、分図ｃは下面図。
【図１３】図１３は従来の表皮一体発泡体（ヘッドレスト）の示す断面図。
【図１４】図１４は従来の表皮一体発泡体（ヘッドレスト）の表皮の縫合部位を示す側面図。
【符号の説明】
２０　　２本針３本糸本縫いミシン（本縫いミシン）
２２　　針
２３　　針
２４　　上糸（糸）
２５　　上糸（糸）
２６　　下糸（糸）
ｄ１　　送り出しピッチ
ｄ２　　針の間隔
【図１】
2004033548.tif 000003
【図２】
2004033548.tif 000004
【図３】
2004033548.tif 000005
【図４】
2004033548.tif 000006
【図５】
2004033548.tif 000007
【図６】
2004033548.tif 000008
【図７】
2004033548.tif 000009
【図８】
2004033548.tif 000010
【図９】
2004033548.tif 000011
【図１０】
2004033548.tif 000012
【図１１】
2004033548.tif 000013
【図１２】
2004033548.tif 000014
【図１３】
2004033548.tif 000015
【図１４】
2004033548.tif 000016